(57)【要約】      （修正有）【課題】被掃除場所によってそれ自体で掃除モードが選択され、異なる効果を奏することができる電気掃除機用吸込具を提供しようとすることを目的とする。【解決手段】電気掃除機に内部が連通されると共に一側面が作業面とされた中空状のハウジング１０を有し、そのハウジング内に前記作業面から空気を吸い込んで真空掃除をする電気掃除機用吸込具において、前記ハウジングの内部には、掃除効果の異なる複数の掃除モードにそれぞれ対応した複数の掃除手段２０，３０が設けられ、その複数の掃除手段は、前記一側面に作用する吸気と協働して真空掃除を行い得る複数の掃除作業部２４，３３をそれぞれ有していて、それら掃除作業部が前記ハウジングの外からの操作に応じて前記一側面から選択的に出てきて前記真空掃除を行えるように構成される。【選択図】図１１
0003115577.tif 000002
【実用新案登録請求の範囲】
【請求項１】
電気掃除機に内部が連通されると共に一側面が作業面とされた中空状のハウジングを有し、そのハウジング内に前記作業面から空気を吸い込んで真空掃除をする電気掃除機用吸込具において、
前記ハウジングの内部には、掃除効果の異なる複数の掃除モードにそれぞれ対応した複数の掃除手段が設けられ、
その複数の掃除手段は、前記一側面に作用する吸気と協働して真空掃除を行い得る複数の掃除作業部をそれぞれ有していて、それら掃除作業部が前記ハウジングの外からの操作に応じて前記一側面から選択的に出てきて前記真空掃除を行えるように構成されたことを特徴とする電気掃除機用吸込具。
【請求項２】
上下２面及び該上下２面間を連結した周面を有し、その上面に電気掃除機に連通させられる上吸込口と、前記上吸込口の近くに開けてある開口と、その下面に前記上吸込口に対応するように設置されていて被掃除面に臨んでごみを吸入する下吸込口と、前記下面に開けてある第１及び第２スリットとを備えたハウジングと、
前記ハウジングの上面内に前記開口を密封しながら左右摺動できるように取り付けられる操作体と、
前記ハウジング内に前記周面に沿うように且つ上下に微動することができるように設置されている中空環状体からなる第１掃除手段と、
前記第１掃除手段の内周面に沿うように且つ上下に微動することができるように設置されている中空環状体からなる第２掃除手段と、
前記第１掃除手段及び前記第２掃除手段のそれぞれと前記ハウジングの下面との間に設置される第１及び第２弾性手段とを少なくとも備えてなり、
前記操作体は、前記ハウジングの上面より前記開口を通して突出していて該開口内で所定範囲内で左右移動可能な凸部と、同ハウジングの下面側へ下向きに突出する第１及び第２当接部とを有しており、
前記第１掃除手段は、下面に第１掃除部が設けられると共に、上面に、前記操作体が左右一方向に摺動するのに応じて前記第１当接手段に押されて第１掃除部を前記第１スリットから下方に突出するように移動させる第３の当接手段が設けられており、
前記第２掃除手段は、下面に第２掃除部が設けられると共に、上面に、前記操作体が左右他方向に摺動するのに応じて前記第２当接手段に押されて前記第２掃除部を前記第２スリットから下方に突出するように移動させる第４の当接手段が設けられており、
前記第１及び第２弾性手段は、前記操作体が前記左右一方向に摺動すると前記第１掃除部と前記ハウジングの下面との間の該第１弾性手段がその間に挟まれて縮むと共に、前記第２掃除部と前記ハウジングの下面との間の該第２弾性手段が伸展して前記第２掃除部を上動させ、また、前記操作体が前記左右他方向に摺動すると前記第２掃除部と前記ハウジングの下面との間の該第２弾性手段がその間に挟まれて縮み、前記第１掃除部と前記ハウジングの下面との間の該第１弾性手段が伸展して前記第１掃除部を上動させることを特徴とする電気掃除機用吸込具。
【請求項３】
上下２面及び該上下２面を連結した周面を有し、その上面に電気掃除機に連通させられる上吸込口と、前記上吸込口の近くに開けてある開口と、その下面に前記上吸込口に対応するように設置されていて被掃除面に臨んでごみを吸入する下吸込口と、前記下面に開けてある第１及び第２スリットとを備えたハウジングと、
前記ハウジングの上面内に前記開口を密封しながら左右摺動できるように取り付けられ、且つその上面に前記開口を突出していて該開口内に左右移動されると前記左右摺動を所定の範囲内に行なわせる凸部が設置され、その下面に下へ突出してなった第１及び第２当接部が設置されている操作体と、
前記ハウジング内に前記周面に沿ってなり、且つ上下に微動することができるように設置されている中空環状体であり、その下面に第１掃除部、上面に前記操作体が左右の一方向に摺動すると前記第１当接手段に押されて前記第１掃除部を下に前記第１スリットから突出するように移動させる第３の当接手段が設置されている第１掃除手段と、
前記第１掃除手段の内周面に沿ってなり、且つ上下に微動することができるように設置されている中空環状体であり、その下に第２掃除部、上面に前記操作体が前記一方向の反対方向に摺動すると前記第２当接手段に押されて前記第２掃除部を下に前記第２スリットから突出するように移動させる第４の当接手段が設置されている第２掃除手段と、
前記第１掃除部及び前記第２掃除部それぞれと前記ハウジングの下面との間に設置される第１及び第２弾性手段とを少なくとも備えてなり、
前記第１及び第２弾性手段は、前記操作体が前記一方向に摺動すると前記第１掃除部と前記ハウジングの下面との間の該第１弾性手段がその間に挟まれて縮むと共に、前記第２掃除部と前記ハウジングの下面との間の該第２弾性手段が伸展して前記第２掃除部を上動させ、また、前記操作体が前記反対方向に摺動すると前記第２掃除部と前記ハウジングの下面との間の該第２弾性手段がその間に挟まれて縮み、前記第１掃除部と前記ハウジングの下面との間の該第１弾性手段が伸展して前記第１掃除部を上動させることを特徴とする電気掃除機用吸込具。
【請求項４】
前記第１当接手段と前記第３当接手段、及び、前記第２当接手段と前記第４当接手段は、それぞれカム機構より構成されることを特徴とする請求項２又は３に記載の電気掃除機用吸込具。
【請求項５】
前記第１当接手段と前記第３当接手段、及び、前記第２当接手段と前記第４当接手段は、それぞれ三角形対三角形のカム機構関係になってることを特徴とする請求項２又は３に記載の電気掃除機用吸込具。
【請求項６】
前記ハウジングの下面に、さらに、地面に当接し容易に移動できるローラーが設置されていることを特徴とする請求項２〜５のいずれか一項に記載の電気掃除機用吸込具。
【請求項７】
前記第１掃除部はブラシからなったものであることを特徴とする請求項２〜５のいずれか一項に記載の電気掃除機用吸込具。
【請求項８】
前記第２掃除部はスクレイパーからなったものであることを特徴とする請求項２〜５のいずれか一項に記載の電気掃除機用吸込具。
【考案の詳細な説明】
【技術分野】
【０００１】
本考案は電気掃除機用吸込具に関し、特に、被掃除場所によってそれ自体で掃除モードが選択され、異なる掃除効果を奏することができる電気掃除機用吸込具に関する。
【背景技術】
【０００２】
従来の電気掃除機は、吸込具として、色々な形状ないし構造が異なるものを用意している。しかしながら、この異なるものはそれぞれ単機能しか持っていないので、掃除中に被掃除場所に応じ頻繁に取り替えなければならない場合が時々あって、使用に非常に不便である。
【考案の開示】
【考案が解決しようとする課題】
【０００３】
前記に鑑みて、本考案は、被掃除場所に応じてそれ自体で掃除モードが選択され、異なる掃除効果を奏することができる電気掃除機用吸込具を提供しようとすることを目的とする。
【課題を解決するための手段】
【０００４】
前記目的を達成するために、請求項１の考案は、電気掃除機に内部が連通されると共に一側面が作業面とされた中空状のハウジングを有し、そのハウジング内に前記作業面から空気を吸い込んで真空掃除をする電気掃除機用吸込具において、前記ハウジングの内部には、掃除効果の異なる複数の掃除モードにそれぞれ対応した複数の掃除手段が設けられ、その複数の掃除手段は、前記一側面に作用する吸気と協働して真空掃除を行い得る複数の掃除作業部をそれぞれ有していて、それら掃除作業部が前記ハウジングの外からの操作に応じて前記一側面から選択的に出てきて前記真空掃除を行えるように構成されたことを特徴とする。
【０００５】
また請求項２の考案は、上下２面及び該上下２面間を連結した周面を有し、その上面に電気掃除機に連通させられる上吸込口と、前記上吸込口の近くに開けてある開口と、その下面に前記上吸込口に対応するように設置されていて被掃除面に臨んでごみを吸入する下吸込口と、前記下面に開けてある第１及び第２スリットとを備えたハウジングと、前記ハウジングの上面内に前記開口を密封しながら左右摺動できるように取り付けられる操作体と、前記ハウジング内に前記周面に沿うように且つ上下に微動することができるように設置されている中空環状体からなる第１掃除手段と、前記第１掃除手段の内周面に沿うように且つ上下に微動することができるように設置されている中空環状体からなる第２掃除手段と、前記第１掃除手段及び前記第２掃除手段のそれぞれと前記ハウジングの下面との間に設置される第１及び第２弾性手段とを少なくとも備えてなり、前記操作体は、前記ハウジングの上面より前記開口を通して突出していて該開口内で所定範囲内で左右移動可能な凸部と、同ハウジングの下面側へ下向きに突出する第１及び第２当接部とを有しており、前記第１掃除手段は、下面に第１掃除部が設けられると共に、上面に、前記操作体が左右一方向に摺動するのに応じて前記第１当接手段に押されて第１掃除部を前記第１スリットから下方に突出するように移動させる第３の当接手段が設けられており、前記第２掃除手段は、下面に第２掃除部が設けられると共に、上面に、前記操作体が左右他方向に摺動するのに応じて前記第２当接手段に押されて前記第２掃除部を前記第２スリットから下方に突出するように移動させる第４の当接手段が設けられており、前記第１及び第２弾性手段は、前記操作体が前記左右一方向に摺動すると前記第１掃除部と前記ハウジングの下面との間の該第１弾性手段がその間に挟まれて縮むと共に、前記第２掃除部と前記ハウジングの下面との間の該第２弾性手段が伸展して前記第２掃除部を上動させ、また、前記操作体が前記左右他方向に摺動すると前記第２掃除部と前記ハウジングの下面との間の該第２弾性手段がその間に挟まれて縮み、前記第１掃除部と前記ハウジングの下面との間の該第１弾性手段が伸展して前記第１掃除部を上動させることを特徴とする。
【０００６】
更に請求項３の考案は、上下２面及び該上下２面を連結した周面を有し、その上面に電気掃除機に連通させられる上吸込口と、前記上吸込口の近くに開けてある開口と、その下面に前記上吸込口に対応するように設置されていて被掃除面に臨んでごみを吸入する下吸込口と、前記下面に開けてある第１及び第２スリットとを備えたハウジングと、前記ハウジングの上面内に前記開口を密封しながら左右摺動できるように取り付けられ、且つその上面に前記開口を突出していて該開口内に左右移動されると前記左右摺動を所定の範囲内に行なわせる凸部が設置され、その下面に下へ突出してなった第１及び第２当接部が設置されている操作体と、前記ハウジング内に前記周面に沿ってなり、且つ上下に微動することができるように設置されている中空環状体であり、その下面に第１掃除部、上面に前記操作体が左右の一方向に摺動すると前記第１当接手段に押されて前記第１掃除部を下に前記第１スリットから突出するように移動させる第３の当接手段が設置されている第１掃除手段と、前記第１掃除手段の内周面に沿ってなり、且つ上下に微動することができるように設置されている中空環状体であり、その下に第２掃除部、上面に前記操作体が前記一方向の反対方向に摺動すると前記第２当接手段に押されて前記第２掃除部を下に前記第２スリットから突出するように移動させる第４の当接手段が設置されている第２掃除手段と、前記第１掃除部及び前記第２掃除部それぞれと前記ハウジングの下面との間に設置される第１及び第２弾性手段とを少なくとも備えてなり、
前記第１及び第２弾性手段は、前記操作体が前記一方向に摺動すると前記第１掃除部と前記ハウジングの下面との間の該第１弾性手段がその間に挟まれて縮むと共に、前記第２掃除部と前記ハウジングの下面との間の該第２弾性手段が伸展して前記第２掃除部を上動させ、また、前記操作体が前記反対方向に摺動すると前記第２掃除部と前記ハウジングの下面との間の該第２弾性手段がその間に挟まれて縮み、前記第１掃除部と前記ハウジングの下面との間の該第１弾性手段が伸展して前記第１掃除部を上動させることからなっている、２掃除モード式のものが挙げられる。
【考案の効果】
【０００７】
本考案による電気掃除機用吸込具は、それ自体で、簡単な操作により、２ないしそれ以上の掃除モードが選択され、異なる効果を奏することができるという長所がある。従って、被掃除場所に応じて掃除モードが選択され、異なる掃除効果を奏することができる。
【考案を実施するための最良の形態】
【０００８】
本考案の電気掃除機用吸込具は、図１における複数の形状ないし構造が異なるもののいずれかにも適用されるが、以下、左にあり、且つ２掃除モード式のものを例とした図面を参照しながら本考案の電気掃除機用吸込具の構成を説明する。
【０００９】
図２及び３に示されている本考案の電気掃除機用吸込具は、上下２面１２，１１及び該上下２面１２，１１を連結した周面１４を有し、その上面１２に電気掃除機に連通させられる上吸込口１１３と、前記上吸込口１１３の近くに開けてある開口１２１と、その下面１１に前記上吸込口１１３に対応するように設置されていて被掃除面に臨んでごみを吸入する下吸込口１１３と、前記下面１１に開けてある第１及び第２スリット１３１，１３２とを備えたハウジング１０と、前記ハウジングの上面１２内に前記開口１２１を密封しながら左右摺動できるように取り付けられ、且つその上面に前記開口１２１を突出していて該開口１２１内に左右移動されると前記左右摺動を所定の範囲内に行なわせる凸部６２が設置され、その下面１１に下へ突出してなった第１及び第２当接部６３，６４が設置されている操作体６０と、前記ハウジング１０内に前記周面１４に沿ってなり、且つ上下に微動することができるように設置されている中空環状体であり、その下面に第１掃除部２４、上面に前記操作体６０が左右の一方向に摺動すると前記第１当接手段６３に押されて前記第１掃除部２４を下に前記第１スリット１３１から突出するように移動させる第３の当接手段２３が設置されている第１掃除手段２０と、前記第１掃除手段２０の内周面に沿ってなり、且つ上下に微動することができるように設置されている中空環状体であり、その下に第２掃除部３３、上面に前記操作体６０が前記一方向の反対方向に摺動すると前記第２当接手段６４に押されて前記第２掃除部３３を下に前記第２スリット１３２から突出するように移動させる第４の当接手段２３が設置されている第２掃除手段３０と、前記第１掃除部２４及び前記第２掃除部３３それぞれと前記ハウジングの下面１１との間に設置される第１及び第２弾性手段４０，５０とより構成されており、その第１及び第２弾性手段４０，５０は、前記操作体６０が前記一方向に摺動すると前記第１掃除部２４と前記ハウジングの下面１１との間の第１弾性手段４０がその間に挟まれて縮むと共に、前記第２掃除部３３と前記ハウジングの下面１１との間の第２弾性手段５０が伸展して前記第２掃除部３３を上動させ、また、前記操作体６０が前記反対方向に摺動すると前記第２掃除部３３と前記ハウジングの下面１１との間の第２弾性手段５０がその間に挟まれて縮むと共に、前記第１掃除部２４と前記ハウジングの下面１１との間の第１弾性手段４０が伸展して前記第１掃除部２４を上動させることからなっている、２掃除モード式のものである。
【００１０】
該電気掃除機用吸込具を使用しようとする時、まず、図１のように、その吸込み口１１３を電気掃除機１００の接続管１１０と連結した後、凸部６２を左右摺動させて２モードの一つを選択する。図４のように、凸部６２を右へ摺動させると、図５、７のように、第１掃除手段２０は、第３当接手段２３が第１当接手段６３に押されて下動し、ハウジングの下面１１と第１弾性手段４０を挟んで縮ませると共に、第１掃除部２４を下に第１スリット１３１から突出させる一方、図６及び７のように、第２掃除手段３０は、第４当接手段３２が第２当接手段６４の押圧から解除されて上動し、第２弾性手段５０を伸展させると共に、第２掃除部３３を第２のスリット内に没入させ、第１掃除モードをすることができるようになる。
【００１１】
逆に、図８のように、凸部６２を左へ摺動させると、図９、１１のように第２掃除手段３０は、第４当接手段３２が第２当接手段６４に押されて下動し、ハウジングの下面１１と第２弾性手段５０を挟んで縮ませると共に、第２掃除部３３を下に第２スリット１３２から突出させる一方、図１０及び１１のように、第１掃除手段２０は、第３当接手段２３が第１当接手段６３の押圧から解除されて上動し、第１弾性手段４０を伸展させると共に、該第１掃除部２４第１のスリット内に没入させ、第２掃除モードをすることができるようになる。
【００１２】
この実施例における第１当接手段６３と前記第３当接手段２３、及び、前記第２当接手段６４と前記第４当接手段３３は、それぞれ三角形対三角形（即ち斜面体斜面）のカム機構関係になっているが、一方だけが斜面であっても良い。
【００１３】
また、この実施例では、第１掃除部２４をブラシとし、第２掃除部３３をスクレイパーとしたが、それに限らず、ブラシとスクレイパーとを反対にし、または他の掃除手段に変えても良い。
【００１４】
尚、該実施例では、ハウジング１０における下面１１の前縁両側に更にローラー１３３が設置してあるので、掃除中に該吸込具を地面上に容易に引き摺ることができる。
【００１５】
以上に記述したものは本考案の好適な実施例だけであり、本考案を限定するものではなく、本考案の特許請求の範囲及び明細書に基づく簡単な変更や修飾をしてなったものも本考案の範囲に属する。
【産業上の利用可能性】
【００１６】
本考案による電気掃除機用吸込具は、被掃除場所によってそれ自体で掃除モードが選択されることができるので、異なる効果を奏することができる。
【図面の簡単な説明】
【００１７】
【図１】本考案の電気掃除機用吸込具とそれを備えた掃除機を示す斜視図。
【図２】本考案の好適な実施例の電気掃除機用吸込具の分解斜視図
【図３】本考案の好適な実施例の電気掃除機用吸込具の下面図。
【図４】本考案の好適な実施例の電気掃除機用吸込具における凸部６２を右へ移動した場合の上面図。
【図５】図４における線５−５に沿った断面図。
【図６】図４における線６−６に沿った断面図。
【図７】図４において線７−７に沿った断面図。
【図８】本考案の好適な実施例の電気掃除機用吸込具における凸部６２を左へ移動した場合の上面図。
【図９】図８における線９−９に沿った断面図。
【図１０】図８における線１０−１０に沿った断面図。
【図１１】図８における線１１−１１に沿った断面図。
【符号の説明】
【００１８】
１０．．．ハウジング
１１．．．下面（一側面，作業面）
１１３．．．上、下吸込口
１２．．．上面
１２１．．．開口
１３１．．．第１スリット
１３２．．．第２スリット
１３３．．．ローラー
２０．．．第１掃除手段（掃除手段）
２３．．．第３当接手段
２４．．．第１掃除部（掃除作業部）
３０．．．第２掃除手段（掃除手段）
３２．．．第４当接手段
３３．．．第２掃除部（掃除作業部）
４０．．．第１弾性手段
５０．．．第２弾性手段
６０．．．操作体
６２．．．凸部
６３．．．第１当接手段
６４．．．第２当接手段
【図１】
0003115577.tif 000003
【図２】
0003115577.tif 000004
【図３】
0003115577.tif 000005
【図４】
0003115577.tif 000006
【図５】
0003115577.tif 000007
【図６】
0003115577.tif 000008
【図７】
0003115577.tif 000009
【図８】
0003115577.tif 000010
【図９】
0003115577.tif 000011
【図１０】
0003115577.tif 000012
【図１１】
0003115577.tif 000013